(57)【要約】【課題】ＶＯＤ再生装置において、所望のメニュー画面に特定のアイコンを配置でき、ユーザが特定のアイコンを見つけ易くする。【解決手段】ＩＰＴＶは、アイコン配置指示デ−タを有する管理サーバと、アイコンの表示順を指示するための表示順データを有するＶＯＤサ−バと接続される。ＩＰＴＶは、ディスプレイに表示されるメニュー画面上における、ＶＯＤサービスアイコンやＶＯＤコンテンツアイコンの配置情報を格納したメニューデータを記憶している。管理サーバのアイコン配置指示データが更新され（Ｓ１）、ＩＰＴＶが、管理サーバからアイコン配置指示データを受信すると（Ｓ２）、ＩＰＴＶは、受信したアイコン配置指示データの内容に基づき、メニューデータの内容を更新する（Ｓ３）。例えば、ＶＯＤサービスＡのアイコンと、映画コンテンツＡのアイコンとをルートメニュー画面に配置するようにメニューデータを更新する。【選択図】図３
2012048421.tif 000002
【特許請求の範囲】
【請求項１】
配信要求に応じてＶＯＤ（Ｖｉｄｅｏ  Ｏｎ  Ｄｅｍａｎｄ）コンテンツを配信するＶＯＤサ−バと、管理情報を送信する管理サーバに接続され、
前記ＶＯＤサ−バから受信したＶＯＤコンテンツを表示する表示手段と、
前記ＶＯＤサ−バに対応したコンテンツ配信サ−ビス、及び該ＶＯＤサーバが配信するＶＯＤコンテンツを表す、ＶＯＤアイコンのメニュー画面上における配置情報を格納したメニューデータを記憶するメニューデータ記憶手段と、
前記メニューデータ記憶手段に記憶されたメニューデータに基づいて、前記ＶＯＤアイコンを含むメニュー画面を前記表示手段に表示するメニュー画面表示手段と、
装置各部を制御する制御手段とを備え、ユ−ザによって前記ＶＯＤアイコンが選択されると、前記ＶＯＤサ−バに対して、該ＶＯＤアイコンに対応するコンテンツ配信サ−ビス、又は該ＶＯＤアイコンに対応するＶＯＤコンテンツの選択の要求を行うＶＯＤ再生装置において、
前記管理サ−バは、メニュー画面上における前記ＶＯＤアイコンの配置を指示するためのアイコン配置指示デ−タを送信可能であり、
前記制御手段は、前記管理サーバから前記アイコン配置指示デ−タを受信すると、該アイコン配置指示デ−タに基づいて前記メニューデータ内の前記ＶＯＤアイコンの配置情報を更新することを特徴とするＶＯＤ再生装置。
【請求項２】
前記メニュー画面は、複数の階層により構成され、最上位の階層をルートメニュー画面とし、
前記制御手段は、前記ルートメニュー画面よりも下位階層のメニュー画面に配置される特定の前記ＶＯＤアイコンを、前記ルートメニュー画面に配置するように前記メニューデータを更新することを特徴とする請求項１に記載のＶＯＤ再生装置。
【請求項３】
配信要求に応じてＶＯＤ（Ｖｉｄｅｏ  Ｏｎ  Ｄｅｍａｎｄ）コンテンツを配信するＶＯＤサ−バに接続され、
前記ＶＯＤサ−バから受信したＶＯＤコンテンツを表示する表示手段と、
前記ＶＯＤサ−バに対応したコンテンツ配信サ−ビス、及び該ＶＯＤサーバが配信するＶＯＤコンテンツを表す、ＶＯＤアイコンのメニュー画面上における配置情報を格納したメニューデータを記憶するメニューデータ記憶手段と、
前記メニューデータ記憶手段に記憶されたメニューデータに基づいて、前記ＶＯＤアイコンを含むメニュー画面を前記表示手段に表示するメニュー画面表示手段と、
装置各部を制御する制御手段とを備え、ユ−ザによって前記ＶＯＤアイコンが選択されると、前記ＶＯＤサ−バに対して、該ＶＯＤアイコンに対応するコンテンツ配信サ−ビス、又は該ＶＯＤアイコンに対応するＶＯＤコンテンツの選択の要求を行うＶＯＤ再生装置において、
前記メニュー画面は、複数の階層により構成され、最上位の階層のメニュー画面がルートメニュー画面であり、
前記ＶＯＤサーバは、配信可能なＶＯＤコンテンツに対応したＶＯＤアイコンの前記メニュー画面への表示順のデータを送信可能であり、
前記制御手段は、前記ＶＯＤサーバから受信した前記表示順のデータに基づいて、前記ルートメニュー画面よりも下位階層のメニュー画面に配置される特定の前記ＶＯＤコンテンツのＶＯＤアイコンを、前記ルートメニュー画面に配置するように前記メニューデータを更新することを特徴とするＶＯＤ再生装置。
【請求項４】
前記制御手段は、前記ルートメニュー画面におけるコンテンツ配信サービスのＶＯＤアイコンを選択した場合に表示される下位階層のメニュー画面において、一番先頭に表示されるＶＯＤコンテンツを表すＶＯＤアイコンを、前記ルートメニュー画面に配置するように前記メニューデータを更新することを特徴とする請求項２又は３に記載のＶＯＤ再生装置。
【発明の詳細な説明】
【技術分野】
【０００１】
本発明は、動作を指示するためのアイコンが配置されたメニュー画面を表示可能なＶＯＤ（Ｖｉｄｅｏ  Ｏｎ  Ｄｅｍａｎｄ）再生装置に関する。
【背景技術】
【０００２】
近年、映画やスポ−ツなどのコンテンツをユ−ザが見たい時に観ることができる、所謂ＶＯＤサ−ビスが知られており、このＶＯＤサ−ビスに対応したＩＰＴＶ（Ｉｎｔｅｒｎｅｔ  Ｐｒｏｔｏｃｏｌ  Ｔｅｌｅｖｉｓｉｏｎ）が普及している。この種のＩＰＴＶは、ユ−ザによってＶＯＤコンテンツの視聴が指示された時に、コンテンツ配信サ−バに対して、ユ−ザによって視聴が指示されたＶＯＤコンテンツの配信要求を行い、コンテンツ配信サ−バから配信されたＶＯＤコンテンツを受信して再生を行う。
【０００３】
ところで、従来から、グラフィカルユーザインタフェース（ＧＵＩ）の機能を有し、各種の動作指示に対応するアイコンをディスプレイに表示し、ユ−ザによってアイコンが選択されると、そのアイコンに対応する動作を行うＩＰＴＶが知られている。これにより、ユ−ザはＩＰＴＶの直感的な操作が可能となる。例えば、ユ−ザは、ＶＯＤコンテンツを視聴したいときに、所望のＶＯＤコンテンツに対応するアイコンを選択すると、ＩＰＴＶは、ユ−ザによって選択されたアイコンに対応するＶＯＤコンテンツの配信要求をＶＯＤサ−バに行うと共に、ＶＯＤサ−バから受信したＶＯＤコンテンツの再生を行う。
【０００４】
上記ＩＰＴＶにおいては、所望の動作指示に対応するアイコンがメニュー画面上に配置され、このメニュー画面がディスプレイに表示される。ユーザは、メニュー画面中から所望の動作に対応するアイコンを選択して各種動作指示を行う。
【０００５】
ディプレイに表示されるメニュー画面は、例えば、複数の階層により構成され、最上位の階層のメニュー画面（ルートメニュー画面）から下位の階層のメニュー画面を辿るツリー構造である。上記ＩＰＴＶにおいて、ユーザが映画ＢのＶＯＤコンテンツを再生指示する際の手順について、図７を参照して説明する。まず、ユーザが、図７の上段に示すルートメニュー画面からＶＯＤサービスメニューのアイコンＩ１０２を選択し、図７の中段に示すＶＯＤサービスメニュー画面を表示させる。このＶＯＤサービスメニュー画面は、ＶＯＤサービスを選択するための画面である。
【０００６】
そして、ユーザはさらにＶＯＤサービスＡのアイコンＩ１１１を選択し、図７の下段に示すＶＯＤサービスＡのメニュー画面を表示させ、このメニュー画面における映画ＢのアイコンＩ１２２を選択して、映画Ｂの再生を指示する。
【０００７】
ところで、ＶＯＤサ−ビス提供者によっては、特定のＶＯＤコンテンツの視聴をユ−ザに推薦したい、すなわち、特定のコンテンツをユーザに選択させたい場合がある。しかしながら、上記ＩＰＴＶでは、一般的に、ＶＯＤコンテンツのアイコンは、ルートメニュー画面の下位層のメニュー画面に表示されるため、推薦するＶＯＤコンテンツのアイコンがルートメニュー画面に表示される頻度が低く、ユーザがこのＶＯＤコンテンツのアイコンを見つけにくいという問題がある。
【０００８】
これに対して、特許文献１には、ユ−ザの過去の操作履歴から収集したユ−ザの操作傾向を示す情報（プロファイル）に基づいてユーザインターフェ−スを作成するユーザインターフェース実現方法が開示されている。しかしながら、この方法では、ＶＯＤサービス提供者が所望のアイコンをルートメニュー画面に表示することができないため、上記問題を解決できない。
【０００９】
また、特許文献２には、クライアントがサービスを提供するときに、サーバがクライアントにサービス画面を送信し、クライアントがＨＴＭＬを解釈してＵＩ（ユーザインターフェース）を表示するサービス提供形態のカスタマイズ方法が開示されている。しかしながら、この方法であっても、上記問題を解決できない。
【００１０】
また、特許文献３には、ユーザによるＧＵＩの利用の頻度に基づいてユーザインターフェースを動的に生成するシステムが開示されている。しかしながら、このシステムであっても、上記問題を解決できない。
【先行技術文献】
【特許文献】
【００１１】
【特許文献１】特開２００１−２６５４７２号公報
【特許文献２】特開平０９−２２３０６２号
【特許文献３】特開２００９−１４０５０１号公報
【発明の概要】
【発明が解決しようとする課題】
【００１２】
本発明は、上述した問題点を解決するためになされたものであり、ルートメニュー等の所望のメニュー画面に特定のアイコンを配置でき、ユーザが特定のアイコンを見つけ易くすることが可能なＶＯＤ再生装置を提供することを目的とする。
【課題を解決するための手段】
【００１３】
上記目的を達成するために請求項１の発明は、配信要求に応じてＶＯＤ（Ｖｉｄｅｏ  Ｏｎ  Ｄｅｍａｎｄ）コンテンツを配信するＶＯＤサ−バと、管理情報を送信する管理サーバに接続され、前記ＶＯＤサ−バから受信したＶＯＤコンテンツを表示する表示手段と、前記ＶＯＤサ−バに対応したコンテンツ配信サ−ビス、及び該ＶＯＤサーバが配信するＶＯＤコンテンツを表す、ＶＯＤアイコンのメニュー画面上における配置情報を格納したメニューデータを記憶するメニューデータ記憶手段と、前記メニューデータ記憶手段に記憶されたメニューデータに基づいて、前記ＶＯＤアイコンを含むメニュー画面を前記表示手段に表示するメニュー画面表示手段と、装置各部を制御する制御手段とを備え、ユ−ザによって前記ＶＯＤアイコンが選択されると、前記ＶＯＤサ−バに対して、該ＶＯＤアイコンに対応するコンテンツ配信サ−ビス、又は該ＶＯＤアイコンに対応するＶＯＤコンテンツの選択の要求を行うＶＯＤ再生装置において、前記管理サ−バは、メニュー画面上における前記ＶＯＤアイコンの配置を指示するためのアイコン配置指示デ−タを送信可能であり、前記制御手段は、前記管理サーバから前記アイコン配置指示デ−タを受信すると、該アイコン配置指示デ−タに基づいて前記メニューデータ内の前記ＶＯＤアイコンの配置情報を更新するものである。
【００１４】
また、請求項２の発明は、請求項１に記載のＶＯＤ再生装置において、前記メニュー画面は、複数の階層により構成され、最上位の階層をルートメニュー画面とし、前記制御手段は、前記ルートメニュー画面よりも下位階層のメニュー画面に配置される特定の前記ＶＯＤアイコンを、前記ルートメニュー画面に配置するように前記メニューデータを更新するものである。
【００１５】
また、請求項３の発明は、配信要求に応じてＶＯＤ（Ｖｉｄｅｏ  Ｏｎ  Ｄｅｍａｎｄ）コンテンツを配信するＶＯＤサ−バに接続され、前記ＶＯＤサ−バから受信したＶＯＤコンテンツを表示する表示手段と、前記ＶＯＤサ−バに対応したコンテンツ配信サ−ビス、及び該ＶＯＤサーバが配信するＶＯＤコンテンツを表す、ＶＯＤアイコンのメニュー画面上における配置情報を格納したメニューデータを記憶するメニューデータ記憶手段と、前記メニューデータ記憶手段に記憶されたメニューデータに基づいて、前記ＶＯＤアイコンを含むメニュー画面を前記表示手段に表示するメニュー画面表示手段と、装置各部を制御する制御手段とを備え、ユ−ザによって前記ＶＯＤアイコンが選択されると、前記ＶＯＤサ−バに対して、該ＶＯＤアイコンに対応するコンテンツ配信サ−ビス、又は該ＶＯＤアイコンに対応するＶＯＤコンテンツの選択の要求を行うＶＯＤ再生装置において、前記メニュー画面は、複数の階層により構成され、最上位の階層のメニュー画面がルートメニュー画面であり、前記ＶＯＤサーバは、配信可能なＶＯＤコンテンツに対応したＶＯＤアイコンの前記メニュー画面への表示順のデータを送信可能であり、前記制御手段は、前記ＶＯＤサーバから受信した前記表示順のデータに基づいて、前記ルートメニュー画面よりも下位階層のメニュー画面に配置される特定の前記ＶＯＤコンテンツのＶＯＤアイコンを、前記ルートメニュー画面に配置するように前記メニューデータを更新するものである。
【００１６】
また、請求項４の発明は、請求２１又は３に記載のＶＯＤ再生装置において、前記制御手段は、前記ルートメニュー画面におけるコンテンツ配信サービスのＶＯＤアイコンを選択した場合に表示される下位階層のメニュー画面において、一番先頭に表示されるＶＯＤコンテンツを表すＶＯＤアイコンを、前記ルートメニュー画面に配置するように前記メニューデータを更新するものである。
【発明の効果】
【００１７】
請求項１の発明によれば、管理サーバからアイコン配置指示デ−タを受信すると、アイコン配置指示デ−タに基づいてメニューデータ内のＶＯＤアイコンの配置情報を更新する。そのため、例えばコンテンツの提供者の希望するＶＯＤアイコンをルートメニュー画面に配置することができ、ユーザがそのＶＯＤアイコンを見つけ易くすることができる。
【００１８】
また、請求項２の発明によれば、ルートメニュー画面よりも下位階層のメニュー画面に配置される特定のＶＯＤアイコンを、ルートメニュー画面に配置するようにメニューデータを更新する。そのため、請求項１と同様に、ユーザが特定のアイコンを見つけ易くすることができる。
【００１９】
また、請求項３の発明によれば、ＶＯＤサーバから受信した表示順のデータに基づいて、ルートメニュー画面よりも下位階層のメニュー画面に配置される特定のＶＯＤコンテンツのＶＯＤアイコンを、ルートメニュー画面に配置するようにメニューデータを更新する。そのため、例えばコンテンツの提供者の希望するアイコンをルートメニュー画面に配置することができ、ユーザがそのアイコンを見つけ易くすることができる。
【００２０】
また、請求項４の発明によれば、ルートメニュー画面におけるコンテンツ配信サービスのＶＯＤアイコンを選択した場合に表示される下位階層のメニュー画面において、一番先頭に表示されるＶＯＤコンテンツを表すＶＯＤアイコンを、ルートメニュー画面に配置するようにメニューデータを更新する。そのため、ルートメニュー画面の一つ下の階層のメニュー画面において、一番先頭に表示されるＶＯＤコンテンツをルートメニュー画面に配置できるので、ユーザがそのアイコンを見つけ易くすることができる。
【図面の簡単な説明】
【００２１】
【図１】本発明の一実施形態に係るＩＰＴＶと、このＩＰＴＶに接続されたＶＯＤサ−バ及び管理サーバとを含むＶＯＤサ−ビス提供システムの構成図。
【図２】上記ＩＰＴＶの制御部の内部構成を示すブロック図。
【図３】上記ＩＰＴＶにおけるアイコン配置指示データに基づくメニューデータの更新処理の手順を示すフローチャート。
【図４】上記ＩＰＴＶにおけるメニューデータの更新処理の手順の他の一例を示すフローチャート。
【図５】上記ＩＰＴＶにおける表示順データに基づくメニューデータの更新処理の手順を示すフローチャート。
【図６】（ａ）は、上記ＩＰＴＶのディスプレイの表示されるルートメニュー画面を示し、（ｂ）は、メニュー画面を示す説明図。
【図７】従来のＩＰＴＶのディスプレイに表示される各メニュー画面を示す説明図。
【発明を実施するための形態】
【００２２】
以下、本発明の一実施形態に係るＩＰＴＶ（請求項におけるＶＯＤ再生装置）について、図１及び図２を参照して説明する。図１は、各種管理情報を送信する管理サーバ２と、ＶＯＤ（Ｖｉｄｅｏ  Ｏｎ  Ｄｅｍａｎｄ）コンテンツを配信する複数のＶＯＤサ−バ３ａ〜３ｃと、この複数のＶＯＤサ−バ３ａ〜３ｃ及び管理サーバ２にインタ−ネット４を介して接続されたＩＰＴＶ１０とを含むＶＯＤサ−ビス提供システム１を示す。図２は、ＩＰＴＶ１０の制御部１８の内部構成を示す。なお、ＶＯＤサ−バ３は、複数のＶＯＤ３ａ〜３ｃの総称である。
【００２３】
ＶＯＤサ−バ３は、ＩＰＴＶ１０から送信されたＶＯＤコンテンツの配信要求を受信し、この配信要求に応じたＶＯＤコンテンツをＩＰＴＶ１０に配信するものである。ＩＰＴＶ１０は、ユ−ザによる操作指示に応じたＶＯＤコンテンツの配信要求をＶＯＤサ−バ２に送信し、ＶＯＤサ−バ２から配信されたＶＯＤコンテンツを受信して再生するものである。ユ−ザによる操作指示は、ＩＰＴＶ１０のディスプレイ１４に表示されたアイコンを選択することによって行われる。例えば、ユ−ザによって所望のＶＯＤコンテンツのアイコン（以下、ＶＯＤコンテンツアイコンという）が選択されると、ＩＰＴＶ１０は、ユ−ザによって選択されたＶＯＤコンテンツアイコンに対応するＶＯＤコンテンツの配信要求をＶＯＤサ−バ３に対して送信する動作処理を行う。なお、ＶＯＤサーバ３ａ〜３ｃのそれぞれのコンテンツ配信サービスに対応するアイコンを、以下、「ＶＯＤサービスアイコン」という。すなわち、ＶＯＤサービスアイコンを選択すると、このＶＯＤサービスアイコンに対応するコンテンツ配信サービスによって配信可能なＶＯＤコンテンツに対応するＶＯＤコンテンツアイコンがディスプレイ１４に表示される。
【００２４】
管理サーバ２は、ＩＰＴＶ１０のディスプレイ１４に表示されるメニュー画面上におけるＶＯＤサービスアイコン及びＶＯＤコンテンツアイコンの配置を指示するためのアイコン配置指示デ−タ２１を有し、アイコン配置指示デ−タ２１をＩＰＴＶ１０に送信可能である。管理サーバ２は、管理者によって操作される管理ＰＣ２ａと接続され、管理者が管理ＰＣ２ａから管理サーバ２に指示を行うことにより、アイコン配置指示データ２１の内容を更新することができる。
【００２５】
ＶＯＤサーバ３ａ〜３ｃのそれぞれは、ＩＰＴＶ１０のディスプレイ１４に表示されるメニュー画面におけるＶＯＤコンテンツアイコンの表示順を指示するための表示順データ３１ａ〜３１ｃを有し、この表示順データ３１ａ〜３１ｃをＩＰＴＶ１０に送信可能である。表示順データ３１ａ〜３１ｃの内容は、ＶＯＤサーバ３ａ〜３ｃのそれぞれのサービス提供者が任意に変更できる。例えば、所望のＶＯＤコンテンツアイコンをメニュー画面の一番先頭に表示することができる。
【００２６】
ＩＰＴＶ１０は、放送局から放送されるテレビ番組を受信するチューナ部１１と、ネットワークカード１２と、各種情報を記憶するためのＲＡＭ（Ｒａｎｄｏｍ  Ａｃｃｅｓｓ  Ｍｅｍｏｒｙ；請求項におけるメニューデータ記憶手段）１３と、ＶＯＤコンテンツやＴＶ番組の映像を表示するディスプレイ（表示手段）１４とを備える。また、ＩＰＴＶ１０は、ＶＯＤコンテンツやＴＶ番組の音声を出力するスピ−カ１５と、リモコン１６から送信されるリモコン信号を受信するリモコン信号受信部１７と、ＩＰＴＶ１０の各部を制御する制御部（制御手段、メニュー画面表示手段）１８とをさらに備える。
【００２７】
ネットワークカード１２は、ＬＡＮ６と接続されている。ＬＡＮ６は、インタ−ネット４に対して送受信されるパケットの通信制御を行うためのル−タ５と接続されている。ＲＡＭ１３は、制御部１８を動作させるためのプログラム１３ａと、メニューデータ１３ｂと、アイコンデータ１３ｃとを記憶している。
【００２８】
メニューデータ１３ｂは、ディスプレイ１４に表示するメニュー画面上における、ＶＯＤサービスアイコンやＶＯＤコンテンツアイコンの配置情報を格納している。ディスプレイ１４に表示されるメニュー画面は、複数の階層により構成され、最上位の階層がルートメニュー画面である。すなわち、メニューデータ１３ｂには、ルートメニュー画面に表示するＶＯＤサービスアイコン及びＶＯＤコンテンツアイコンの種類や配置情報が格納されている。メニューデータ１３ｂは、管理サーバ２から送信されるアイコン配置指示データ２１や、ＶＯＤサーバ３ａ〜３ｃから送信される表示順データ３１ａ〜３１ｃに基づいて内容を更新可能である。アイコンデータ１３ｃは、ＶＯＤサ−ビスアイコン及びＶＯＤコンテンツアイコンの画像を格納している。
【００２９】
リモコン１６は、ユ−ザによって操作される複数のボタンを有し、ユ−ザによるＶＯＤコンテンツの再生指示（ＶＯＤコンテンツアイコンの選択）や、ＶＯＤサービスアイコンの選択指示等に応じたリモコン信号をＩＰＴＶ１０に送信する。
【００３０】
制御部１８は、図２に示すように、信号通信部４１と、ＭＰＥＧ−ＴＳ処理部４２と、セキュリティ処理部４３と、メディア復号部４４と、グラフィックプロセッサ（メニュー画面表示手段）４５と、レンダリング部４６と、信号出力処理部４７と、ＣＰＵ（メニュー画面表示手段、制御手段）４８とを有する。
【００３１】
信号通信部４１は、ＶＯＤサ−バ３に対してＶＯＤコンテンツの配信を要求するための信号を送信する。また、信号通信部４１は、ＶＯＤサ−バ３からＶＯＤコンテンツの映像信号を受信し、この映像信号からＴＳ（トランスポートストリーム）パケットの取得を行う。また、信号通信部４１は、管理サーバ２からアイコン配置指示データ２１を受信し、ＶＯＤサーバ３ａ〜３ｃから表示順データ３１ａ〜３１ｃを受信する。
【００３２】
ＭＰＥＧ−ＴＳ処理部４２は、信号通信部４１によって取得されたＴＳパケットの多重分離処理を行う。セキュリティ処理部４３は、ＭＰＥＧ−ＴＳ処理部４２から出力されたＶＯＤコンテンツのパケットにかけられている暗号化を復号する処理を行う。メディア復号部４４は、セキュリティ処理部４３によって暗号化が復号された信号に対して映像信号や音声信号のデコ−ド処理を行う。
【００３３】
グラフィックプロセッサ４５は、ＣＰＵ４８の画像描画指示命令に基づいて、画面イメ−ジを描写し、画像信号としてレンダリング部４６に出力する。レンダリング部４６は、メディア復号部４４によってデコ−ドされた映像信号と、グラフィックプロセッサ４５から出力された画像信号とを重畳すると共に、重畳された画像信号を、メディア復号部４４から出力された音声信号と時刻同期をとって信号出力処理部４７に出力する。
【００３４】
信号出力処理部４７は、レンダリング部４６から出力された映像信号及び音声信号を所定の出力形式に変換してディスプレイ１４とスピ−カ１５に出力する。例えば、信号出力処理部４７は、映像信号をＤ端子コンポ−ネント信号に変換し、音声信号をアナログ音声信号に変換して出力する。
【００３５】
ＣＰＵ４８は、リモコン信号受信部４７から出力されるリモコン信号、及びＲＡＭ１３に記憶しているプログラム１３ａ、メニューデータ１３ｂ、及びアイコンデータ１３ｃの内容に基づいて、ＩＰＴＶ１０の各種動作を制御する。具体的には例えば、ＣＰＵ４８は、メニューデータ１３ｂ及びアイコンデータ１３ｃの内容に基づいて、グラフィックプロセッサ４５にメニュー画面についての描画指示を行う。また、ＣＰＵ４８は、管理サーバ２から受信したアイコン配置指示デ−タ２１の内容や、ＶＯＤサーバ３から受信した表示順データ３１ａ〜３１ｃの内容に基づいて、ＲＡＭ１３に格納されたメニューデータ１３ｂの内容の更新を行う。すなわち、メニューデータ１３ｂ内のＶＯＤサービスアイコン及びＶＯＤコンテンツアイコンの配置情報を更新する。また、ＣＰＵ４８は、特定のメニュー画面の一番先頭に配置されたＶＯＤコンテンツアイコンを、ルートメニュー画面に表示するようにメニューデータ１３ｂの内容を更新する処理も行う。
【００３６】
次に、アイコン配置指示デ−タ２１に基づくメニューデータ１３ｂの更新処理について、図３に示すフローチャートを参照して説明する。
【００３７】
まず、管理者が管理ＰＣ２ａを操作して管理サーバ２のアイコン配置指示データ２１を更新し（Ｓ１）、ＩＰＴＶ１０が、管理サーバ２からアイコン配置指示データ２１を受信する（Ｓ２）。そして、ＩＰＴＶ１０の制御部１８が、受信したアイコン配置指示データ２１の内容に基づいて、メニューデータ１３ｂの内容を更新する（Ｓ３）。具体的には例えば、制御部１８は、ＶＯＤサービスＡのＶＯＤサービスアイコンと、映画コンテンツＡのＶＯＤコンテンツアイコンとをルートメニュー画面に配置するようにメニューデータ１３ｂの更新を行う（上記Ｓ３に相当）。
【００３８】
次に、ルートメニュー画面にアイコンを配置するメニューデータ１３ｂの更新処理について、図４に示すフローチャートを参照して説明する。
【００３９】
まず、ＩＰＴＶ１０の制御部１８は、メニューデータ１３ｂの内容を取得して、ルートメニュー画面よりも下位階層の特定のメニュー画面に配置される特定のＶＯＤコンテンツアイコンを取得する（Ｓ１１）。そして、取得したＶＯＤコンテンツアイコンを、ルートメニュー画面に配置するようにメニューデータ１３ｂの内容を更新する（Ｓ１２）。
【００４０】
具体的には例えば、制御部１８は、ＶＯＤサービスＡのメニュー画面において、映画コンテンツＡのＶＯＤコンテンツアイコンが先頭に配置されている場合、映画コンテンツＡのＶＯＤコンテンツアイコンを、ルートメニュー画面に配置するようにメニューデータ１３ｂを更新する（上記Ｓ１２に相当）。なお、特定のメニュー画面は、ＩＰＴＶ１０のメーカー等が任意に設定できるものとする。また、ルートメニュー画面には、ＶＯＤコンテンツアイコンのみを配置してもよい。
【００４１】
次に、表示順データ３１ａ〜３１ｃに基づくメニューデータ１３ｂの更新処理について、図５に示すフローチャートを参照して説明する。
【００４２】
まず、ＩＰＴＶ１０は、ＶＯＤサーバ３から表示順データ３１ａ〜３１ｃを受信すると（Ｓ２１）、受信した表示順データ３１ａ〜３１ｃの内容に基づいて、メニューデータ１３ｂの内容を更新すると共に、ルートメニュー画面よりも下位階層のメニュー画面に配置され、そのメニュー画面の一番先頭に表示されるＶＯＤコンテンツアイコンを、ルートメニュー画面に配置するようにメニューデータの内容を更新する（Ｓ２２）。
【００４３】
具体的には例えば、表示順データ３１ａの内容が、ＶＯＤサービスＡのメニュー画面において、ドラマコンテンツＣ、ドラマコンテンツＢ、及びドラマコンテンツＡの順にＶＯＤコンテンツアイコンを配置するものである場合を考える。その場合、制御部１８は、ＶＯＤサービスＡのメニュー画面について、ドラマコンテンツＣ、ドラマコンテンツＢ、及びドラマコンテンツＡの順にＶＯＤコンテンツアイコンを配置する更新をメニューデータ１３ｂに行うと共に、ＶＯＤサービスＡのメニュー画面の一番先頭に表示されるＶＯＤコンテンツ（ここでは、ドラマコンテンツＣ）を表すＶＯＤコンテンツアイコンを、ルートメニュー画面に配置するようにメニューデータ１３ｂを更新する（上記Ｓ２２に相当）。なお、ＶＯＤサービスＡのメニュー画面は、ルートメニュー画面におけるＶＯＤサービスＡに対応するＶＯＤコンテンツアイコンを選択すると表示されるメニュー画面である。
【００４４】
次に、ディスプレイ１４に表示されるメニュー画面について、図６を参照して説明する。図６の上段は、ディスプレイ１４に表示されるルートメニュー画面を示し、図６の下段は、ＶＯＤサービスＡのメニュー画面を示す。ルートメニュー画面には、ＶＯＤサービスアイコンＩ１〜Ｉ３と、設定メニューアイコンＩ４と、ＶＯＤコンテンツアイコンＩ５、Ｉ６が表示されている。
【００４５】
ＶＯＤサービスＡのメニュー画面は、ルートメニュー画面のＶＯＤサービスＡメニューのＶＯＤサービスアイコンＩ２を選択すると表示されるメニュー画面である。ＶＯＤサービスＡのメニュー画面には、ＶＯＤコンテンツアイコンＩ２１〜Ｉ２４が表示され、このメニュー画面の一番先頭には「海外ドラマＢ」のＶＯＤコンテンツアイコンＩ２１が表示されている。このＶＯＤコンテンツアイコンＩ２１は、ルートメニュー画面の「海外ドラマＢ」のＶＯＤコンテンツアイコンＩ６と同じものである。すなわち、このＶＯＤコンテンツアイコンＩ２１は、上述したメニューデータ１３ｂの更新処理により、ルートメニュー画面上にも配置されている。
【００４６】
ルートメニュー画面において、ユーザがニュースサイトＡのＶＯＤコンテンツアイコンＩ５を選択すると、ニュースサイトＡが表示される。また、ルートメニュー画面において、ユーザが海外ドラマＢのＶＯＤコンテンツアイコンＩ６を選択すると、例えばＶＯＤサーバ３ａから海外ドラマＢのＶＯＤコンテンツが配信され、ＩＰＴＶ１０が海外ドラマＢを再生する。
【００４７】
上述したように、本実施形態に係るＩＰＴＶ１０においては、管理サーバ２からアイコン配置指示デ−タ２１を受信すると、アイコン配置指示デ−タ２１の内容に基づいてメニューデータ１３ｂを更新する。そのため、例えばコンテンツの提供者の希望するＶＯＤサービスアイコンやＶＯＤコンテンツアイコンをルートメニュー画面に配置することができ、ユーザがそのアイコンを見つけ易くすることができる。
【００４８】
また、ＩＰＴＶ１０は、ルートメニュー画面よりも下位階層のメニュー画面に配置される特定のＶＯＤコンテンツアイコンを、ルートメニュー画面に配置するようにメニューデータを更新できる。そのため、ユーザが特定のＶＯＤコンテンツアイコンを見つけ易くすることができる。
【００４９】
また、ＶＯＤサーバ３から受信した表示順データ３１ａ〜３１ｃに基づいて、ルートメニュー画面よりも下位階層のメニュー画面に配置される特定のＶＯＤコンテンツアイコンを、ルートメニュー画面に配置するようにメニューデータ１３ｂを更新する。そのため、特定のＶＯＤコンテンツアイコンをルートメニュー画面に配置することができるので、ユーザがそのアイコンを見つけ易くすることができる。
【００５０】
また、ルートメニュー画面におけるＶＯＤサービスアイコンを選択した場合に表示される下位階層のメニュー画面において、一番先頭に表示されるＶＯＤコンテンツアイコンを、ルートメニュー画面に配置するようにメニューデータ１３ｂを更新する。そのため、管理サーバ２から配信されるアイコン配置指示データ２１やＶＯＤサーバ３から配信される表示順データ３１ａ〜３１ｃに、ルートメニュー画面にＶＯＤコンテンツアイコンを配置する指示がなくても、ルートメニュー画面の一つ下の階層のメニュー画面において、一番先頭に表示されるＶＯＤコンテンツをルートメニュー画面に配置できるので、ＶＯＤサーバ３や管理サーバ２から配信される各データ２１、３１ａ〜３１ｃのデータサイズを小さくできると共に、ユーザがそのアイコンを見つけ易くすることができる。
【００５１】
なお、本発明は、上記実施形態の構成に限られず、発明の趣旨を変更しない範囲で種々の変形が可能である。例えば、上記実施形態において、ＶＯＤコンテンツアイコンをルートメニュー画面に配置する例を示したが、これに限られず、例えば未成年にとって有害なＶＯＤコンテンツのＶＯＤコンテンツアイコンは、ルートメニュー画面に配置しないように設定してもよい。
【符号の説明】
【００５２】
２  管理サーバ
３、３ａ〜３ｃ  ＶＯＤサ−バ
１０  ＩＰＴＶ（ＶＯＤ再生装置）
１３  ＲＡＭ（メニューデータ記憶手段）
１４  ディスプレイ（表示手段）
１８  制御部（制御手段、メニュー画面表示手段）
２１  アイコン配置指示デ−タ
４５  グラフィックプロセッサ（メニュー画面表示手段）
４８  ＣＰＵ（メニュー画面表示手段制御手段）
１３ｂ  メニューデータ
３１ａ〜３１ｃ  表示順データ
【図１】
2012048421.tif 000003
【図２】
2012048421.tif 000004
【図３】
2012048421.tif 000005
【図４】
2012048421.tif 000006
【図５】
2012048421.tif 000007
【図６】
2012048421.tif 000008
【図７】
2012048421.tif 000009